(57)【特許請求の範囲】
【請求項１】
少なくとも一群のスリットが刻設された薄板若しくはこれにて製作される冷却器の製法であって、該薄板の該一群のスリットは、外周部を有し、且つ、中央部を取り囲む形で設けられており、該外周部から該中央部のみを押圧することで該スリット部分を、ねじれ・折曲のいずれか或いは双方によって変形させ、その結果、該一群のスリットの外周部と該一群のスリットの内部である該中央部が、該中央部が該一群のスリットにおける中央位置を維持した状態で押圧方向に高低差が生じることを特徴とする冷却器用薄板及びこれにて製作される冷却器の製法。
【請求項２】
該一群のスリットは、該中央部の中心点からの距離と偏角の異なる２点を結ぶ曲線を１単位とし、これを該中心点を中心として等間隔に且つ交差しないように回転させる形で複数配置したものである請求項１記載の冷却器用薄板及びこれにて製作される冷却器の製法。
【請求項３】
該一群のスリットは、該中央部の周囲を３以上に放射状に分画する向心スリットを有し、該向心スリットによって分画された個々の分画ゾーンは、両端いずれかの該向心スリットに連続する形で交互に設けられたスリットによってその両端の該向心スリットを往復する一本の帯状体となるものである請求項１記載の冷却器用薄板及びこれにて製作される冷却器の製法。
【請求項４】
該一群のスリットは、同心且つ等間隔の複数の円周上に破線状に刻設されたエキスパンドメタル状のものである請求項１記載の冷却器用薄板及びこれにて製作される冷却器の製法。
【発明の詳細な説明】
【技術分野】
【０００１】
主に電子装置のプリント配線板等に実装される半導体部品などを冷却するための冷却器、更に述べれば、１枚の薄板より形成される軽量・低コストな冷却器と成すための当該薄板の構造に関するものである。
【背景技術】
【０００２】
電子装置などに使用する半導体部品においては、近年その集積度が飛躍的に向上し、また一方では装置のコンパクト化や軽量化、更には低コスト化が以前にも増して厳しく要求されてきている。
こうした状況の中で、比較的低消費電力型ヒートシンクの分野では、押出し成型タイプのヒートシンクが現在主流となっているが、引き抜き型のものも多く、近時は薄板をコルゲート状に繰り返し折り曲げ形成しベースプレートと接合させたいわゆるコルゲートフィンも多く使われるようになってきている。また、切削加工しか製造方法がないが故にコスト高であることから敬遠されているが、丸棒金属材料から、薄い円盤を何層にも切り出した、いわゆるディスク型フィンも採用されている。
【先行技術文献】
【特許文献】
【０００３】
【特許文献１】特許第３１５８９８３号公報
【特許文献２】特開２００９−２８３６７２公報
【特許文献３】特開２００３−０３１７４３公報
【発明の概要】
【発明が解決しようとする課題】
【０００４】
即ち、元来が熱に対して脆弱である電子部品でありながら自身が発熱体であるという現実、そして、これを冷却するに当たって許容される設置位置やその容積が、加速するコンパクト化や軽量化の要求に応じて次第に制限されてきているという環境から、旧来構造が淘汰され、時代の要求に適うと謳う構造が提案され、その一部が実施され、やがてそれも淘汰される、という循環にあるのが現状である。
【０００５】
例えば主流である押出し成型タイプのヒートシンクの場合、その製造方法に由来し基本的に一種類の断面が連続したもの（これに切削加工を付加することで、一部を切除したものがある）となるため、フィンの形状に沿った一定方向に設置したときだけしか効率の良い放熱ができない、一定方向に設置される装置ではその放熱特性が有効であるが、近年の小形通信端末装置や家電製品、可搬型医療機器等においては、ユーザー設置条件の多様化に伴いその設置方向をメーカー側が制約することが非常に困難になってきている。加えてどうしても軽量化が難しい、という課題があるため次世代を担う構造足り得ない。
また、薄板をコルゲート状に繰り返し折り曲げ形成しベースプレートと接合させたコルゲートフィンや、コルゲートの一部をオフセット曲げして放熱性を高めたオフセットフィンなどが開発された。これらは軽量化は果たすものとなったが、前記押出し型フィンなどと同様、一定方向に対して放熱性が高まるような指向性を有しており採用し得る箇所が制限される。また、ロウ付け加工なども必要であってフィンの大きさや形状、さらには保形のための制約があり、汎用性に欠けるものであった。
【０００６】
そのほかにも種々の構造（例えばこの指向性が顕著でないピン型フィン）が市場に投入されているが、設置条件を制限してしまう放熱指向性、軽量化を阻む重量、電子機器のコンパクトに適合した容量、等々の全ての課題が解消された理想的な構造が全く存在せず、提案すらなされていないというのが現状であった。
【課題を解決するための手段】
【０００７】
そこで本発明者らは上記諸点に鑑み鋭意研究の結果、遂に本発明を完成させたものであり、その特徴とするところは、少なくとも一群のスリットが刻設された薄板若しくはこれにて製作される冷却器であって、該薄板の該一群のスリットは、中央部を取り囲む形で設けられており、該中央部を押圧することで該スリット部分が、ねじれ・折曲のいずれか或いは双方によって変形し、該一群のスリットの外側部に対して該一群のスリットの内部である該中央部は、該中央部が該一群のスリットにおける中央位置を維持した状態で押圧方向に高低差が生じるものである点にある。
【０００８】
ここで「薄板」とは、いわゆるシート状のものを指すものであって、その厚み・広さについて特に限定するものではない。但し本発明において薄板は、スリットを有しており、押圧することでこのスリット部分が変形して段差（高低差）が生じるものである。なお、本明細書中において「スリット」は、幅を持たない単純な切り込みも、幅を持つことによって切欠が生じるような切り込みも含む概念の語句とする。
そしてこの場合における変形は、ねじれ・折曲のいずれか或いは双方によるものであって、伸びを含んでいない。即ち、例えばプレス機を用いて延伸加工を施すといった変形の在り方は除外される。換言すると、本発明における変形の在り方は、折り紙で再現し得るような形態のものであり、敢えて言えば、ねじれや折曲も微細な観察眼で見れば伸びを伴うものであるが、折り紙で再現し得る程度の伸びと、延伸加工等による伸びとを区別したものとして定義する。
従って、現実には厚みに関して上限は存在し、本発明者らが試作した範囲では１．５ｍｍ程度を超えるものは好ましくないという結果となった。しかし、材質、スリットの形状、使用するプレス機、等々によってはこれ以上の厚さに対応できる可能性もあり、既述したように本発明においてその数値を限定することはしない。
なお薄板の材質は、冷却器として機能し得るものであって、押圧して変形するものの破壊はされないという性状を有するものであるので、通常はアルミニウムや銅などの金属、場合によっては熱伝導性が良好とされるプラスチックが採用されるわけであるが、本発明においては材質を限定しない。
【０００９】
なお本発明において、伸びを伴う変形を除外したのは、伸びた部分の断面積が減少し、それによって熱抵抗が増加するからである。逆に言えば、本明細書において「伸び変形」とは、無視できない熱抵抗の増加を引き起こすような断面積の減少を招く変形の在り方を指すものである。
【００１０】
薄板を押圧して高低差を生じさせる際に、その押圧方向の前方に相当する部分（下方に押圧した場合であれば低い方の部分）を「中央部」という。スリットはこの中央部を取り囲む形で刻設される。そして、一つの中央部を取り囲むスリット全体を、「一群のスリット」と呼ぶ。一群のスリットを構成するスリットは、１本でも複数本でも良いものとする。
なお、１枚の薄板に２以上の中央部を設けても良い。
【００１１】
一群のスリットを構成するスリット自体の形状については、請求項１においては限定しない。しかし本発明者らは種々試作実験した結果、好適な例として３種を提案するものである。
【００１２】
請求項２では、一群のスリットは、中央部の中心点からの距離と偏角の異なる２点を結ぶ曲線を１単位とし、これを中心点を中心として等間隔に且つ交差しないように回転させる形で複数配置したものを提案している。一つの曲線があり、これを中央部の中心点を中心に等間隔に回転させる形で複数配置するという構造であるので、中央部は円形状となる。この曲線の形状の詳細、或いは配置されるスリットの本数については限定するものではないが、本発明者らが試作実験した範囲では円弧状の曲線を単位とするスリットを、６乃至１２本程度設置したものが好適であった。
【００１３】
請求項３では、一群のスリットは、中央部の周囲を３以上に放射状に分画する向心スリットを有し、該向心スリットによって分画された個々の分画ゾーンは、両端いずれかの該向心スリットに連続する形で交互に設けられたスリットによってその両端の該向心スリットを往復する一本の帯状体となるもの、を提案している。例えば３つに分画する場合であると、向心スリットも３本存在することになる。一対の向心スリットの間が分画ゾーンということになりこの分画ゾーンにもスリットが刻設されている。これが「両端いずれかの該向心スリットに連続する形で交互に設けられたスリット」である。例えば向心スリットが「左右」にある場合、最初のスリットを右の向心スリットと連続する形で設けた場合、次のスリットは左の向心スリットに連続する。このようにしてスリットを設けた構造に対して、その中央部を押圧するとスリットが帯状体となりジグザグ様のスロープが形成される。中央部は、円形に限らず矩形その他種々の形状のものとし得る。
【００１４】
請求項４では、一群のスリットは、同心且つ等間隔の複数の円周上に破線状に刻設されたエキスパンドメタル状のものを提案している。エキスパンドメタルは一般に、金属板に千鳥状のスリットを入れて引っぱることで、菱形網目を形成させたもの、と定義されており本明細書においても概ねこれに従う。但し、金属板には限定しない。
【発明の効果】
【００１５】
本発明に係る冷却器用薄板は、少なくとも一群のスリットが刻設された薄板であって、該一群のスリットは、中央部を取り囲む形で設けられており、該中央部を押圧することで該スリット部分が、ねじれ・折曲のいずれか或いは双方によって変形し、該一群のスリットの外側部に対して該一群のスリットの内部である該中央部は、該中央部が該一群のスリットにおける中央位置を維持した状態で押圧方向に高低差が生じるものであることを特徴とするものであり、以下述べる如き効果を有する極めて高度な発明である。
（１）  一定方向に整列したコルゲートフィン形状などではなく、あらゆる方向の対流を促進する低指向性冷却器となるものであるので、熱流の淀みが低減される。
（２）  押圧するだけで冷却器となり、従来のコルゲートやオフセットフィンなどに必要であった部材同士のロウ付け接合が不要であるため、軽量化や低コスト化が図り易い。
（３）  押しつける金型の寸法調整若しくはストローク調整によって、高低差の寸法を自由に調整することができる。
【図面の簡単な説明】
【００１６】
【図１】本発明に係る冷却器用薄板の一例を概略的に示す平面図である。
【図２】図１で示した本発明薄板の中央部２を押圧し変形させた状態を示す概略斜視図である。
【図３】本発明に係る冷却器用薄板によって得られる冷却器の他の一例を示す概略斜視図である。
【図４】本発明に係る冷却器用薄板についての更に他の例を示す概略平面図である。
【図５】本発明に係る冷却器用薄板についての更に他の例を示す概略斜視図である。
【図６】本発明に係る冷却器用薄板によって得られる冷却器の使用状態の一例を示す概略側面図である。
【図７】本発明に係る冷却器用薄板についての更に他の例を示す概略平面図である。
【図８】図７で示した本発明薄板の中央部を押圧し変形させた状態を示す概略斜視図である。
【図９】本発明に係る冷却器用薄板についての更に他の例を示す概略平面図である。
【図１０】図９で示した本発明薄板の中央部を押圧し変形させた状態を示す概略斜視図である。
【図１１】本発明に係る冷却器用薄板についての更に他の例を示す概略平面図である。
【図１２】図１１で示した本発明薄板の中央部を押圧し変形させた状態を示す概略側面図である。
【発明を実施するための形態】
【実施例１】
【００１７】
図１は、本発明に係る冷却器用薄板１（以下「本発明薄板１」という）の一例を示す平面図である。本例の本発明薄板１は、円形の中央部２を取り囲む形で多数（６本）のスリット３１・３１、・・・が刻設されている。そして、これら一群のスリット３は全体としてドーナツ状に配置されているが、外周には達しておらず一群のスリット３の外側に外周部４が存在することとなる。なお本例の本発明薄板１には、厚さ約１．０ｍｍのアルミニウム板を用いた。
【００１８】
図２は、図１で示した本発明薄板１の中央部２を押圧して、一群のスリット３を変形させ、それによって段差を設けた状態を示す概略斜視図であり、この状態で本発明に係る冷却器１０の完成品となる。押圧の手法はいかようなものであっても良いが、本例では、プレス機を用いた。一群のスリット３の外周より僅かに大きい内径の円孔を持つ雌金型上に、該外周と該円孔が同心状となるよう本発明薄板１を固定しておき、上から中央部２とほぼ同径の雄金型でプレスするというものである。
この時押圧に従って中央部２は鉛直方向に下降してゆくが、同時に雄金型の中心軸を中心とする回動を伴うため、雄金型先端部は回動可能としておくことが望ましい。これによって伸びを伴わない変形となる。
【００１９】
図２の状態で中央部２と外周部４とで高低差が生じている。この高低差は金型の寸法や設定されたストローク長に基づいて所定寸法となっているわけであるが、材料が持つ弾性限度内変形（いわゆるバネ性）によって僅かなクッション性を備えることが可能である。これによって発熱体、例えば半導体パッケージに製造誤差（例えば±０．５ｍｍ程度）があってもこれを吸収できる。
【００２０】
図３は冷却器１０完成品についての変形例を示すものであり、外周部４が平坦ではなく全体として円錐状であり、且つ凹凸面で構成されている例を示す。平坦な場合と比較して、対流が促進されることとなるので放熱効率が向上し、しかも冷却器の体積をコンパクトにできる、という利点がある。なお中央部２に関してはここが、発熱部分と接触することで集熱するという機能が求められる部分であって、発熱部自身の外側はほとんど全て平坦であるという現状に鑑み、平坦性を維持していることが望ましい。
【００２１】
図４及び５は、本発明薄板１についての更に他の変形例を示すものであり、本例の場合、一群のスリット３からそれぞれ離反する位置に他の一群のスリット３が設けられ、都合３つの一群のスリット３によって本発明薄板１は構成されている。外周部４は、各一群のスリット３の外側に存在しているが、例えば図４の例では隣接する外周部４との境界は明確には存在しない状態となっている。本発明薄板１の全体形状に関しても、図４の場合は矩形であるが、設置する配線板等の要求に応じて種々の形状があり得る。図５はその一例であり、薄板全体形状は複雑なものであり、且つ冷却器として完成した状態では段差Ｇすら備えている。このように本発明薄板１は、その全体形状（精確には外周部４の外側形状）に関して言えば、何ら限定はされず設計上の要求に沿って適宜決定すれば良いものである。
【００２２】
図６は、冷却器１０完成品の使用状態の一例を、本発明の説明に不必要な部材の描出を省略し概略的に示した側面図であり、プリント配線板５上に実装された３つの発熱体６ａ、６ｂ、６ｃ（ＬＳＩ等の半導体パッケージ）に、冷却器１０完成品を１つ固定した状態を示している。発熱体はそれぞれ高さと大きさが異なるが、それぞれを担当する一群のスリット３の形状は各発熱体の大きさによって設計されており、必要な高低差を得るための金型の寸法・ストローク長等も適宜設定される。またその際、中央部２と外周部４との高低差は、実質的な高さより幾分大きめにしておき、スリット部分の弾性によって設計寸法に収めるようにすると、寸法公差に対してクッション性で追従でき好適である。
【実施例２】
【００２３】
図７は、本発明薄板１の他の例を示すものであり、本例において一群のスリット３は、中央部２の周囲を３以上（本例では６つ）に放射状に分画する向心スリット３２と、この６本の向心スリット３２によって分画された個々の分画ゾーンは、更に帯状体形成スリット３３を有するものである。この帯状体形成スリット３３は、両端いずれかの向心スリット３２に連続する形で、交互に設けられている。本例の場合であると、中央部２の中心から見て一番内側の帯状体形成スリット３３は向かって右側の向心スリット３２と連続し、２番目は左側、３番目は右側、最外側の帯状体形成スリット３３は向かって左側の向心スリット３２と連続している。
この本発明薄板１の中央部２を押圧すると、スリット変形によって中央部２と外周部４に高低差が生じることとなる。図８は、押圧変形後の冷却器１０を概略的に示す斜視図である。各分画ゾーンは１本の帯状体となり、ジグザグ様のスロープが形成される。本例では、分画ゾーンを６つ設けたため中央部２の概形は正六角形となり、帯状体の本数も６本となったが、分画ゾーンの設定個数は３以上であれば何個であっても良い。
【実施例３】
【００２４】
図９及び図１０は、本発明の更に他の例を示すものであり、一群のスリット３は、同心且つ等間隔の複数の円周上に破線状に刻設された多数の断続スリット３４によって構成されている。この中央部２を押圧すると、断続スリット３４が変形して網目状の開口が形成され、エキスパンドメタル状のものである図１０のような冷却器１０となる。
【実施例４】
【００２５】
最後に図１１及び図１２は、本発明の更に他の例を示すものである。本例では一群のスリット３は、渦巻き状となった１本の曲線のみである。図１１の本発明薄板１の中央部２を押圧すると、図１２の如く高低差のある冷却器１０となる。放熱の際に外周部と連続する部分となる帯状体の本数が１本であるため、放熱に偏りがあるという欠点はあるが、変形が容易でありクッション性も高いという利点を有する。
【符号の説明】
【００２６】
１      本発明に係る冷却器用薄板
２      中央部
３      一群のスリット
３１    スリット
３２    向心スリット
３３    帯状体形成スリット
３４    断続スリット
４      外周部
５      プリント配線板
６ａ    発熱体
６ｂ    発熱体
６ｃ    発熱体
１０    冷却器（完成品）
Ｇ      段差
【図１】
0005992693.tif 000002
【図２】
0005992693.tif 000003
【図３】
0005992693.tif 000004
【図４】
0005992693.tif 000005
【図５】
0005992693.tif 000006
【図６】
0005992693.tif 000007
【図７】
0005992693.tif 000008
【図８】
0005992693.tif 000009
【図９】
0005992693.tif 000010
【図１０】
0005992693.tif 000011
【図１１】
0005992693.tif 000012
【図１２】
0005992693.tif 000013